(57)【要約】【課題】アンテナ取付けの際の作業性を向上させる。【解決手段】アンテナ取付構造２１は、アンテナ５の柄状部２２が下側筐体１８の上端部に形成された柄状部挿通孔２３から挿通され、柄状部２２に設けられた環状溝２４に、比較的小さい荷重で変形可能な合成樹脂製の部品留め具２５が嵌着され、本体部４５の前面が柄状部挿通孔２３の下側筐体１８内部側の縁部に当接し、柄状部２２の端子部２６の固定具挿通部３４にねじ等の固定具が挿通されて端子部２６が下側筐体１８に固定されて、概略構成されている。これによって、人手によって容易に部品留め具２５を柄状部２２に圧入して嵌着し、かつ容易に取り外すことができる。【選択図】図１
2005333487.tif 000002
【特許請求の範囲】
【請求項１】
柄状の被取付部を有する構成部品を電子機器の筐体に取り付けるために用いられる平板部を有する部品留め具であって、
前記平板部には、前記被取付部が嵌め込まれる嵌入凹部と、嵌入時に前記被取付部を前記嵌入凹部へ向けて差し入れるために案内する案内切欠き部とが形成され、
前記被取付部を前記嵌入凹部に嵌入する際に、前記案内切欠き部から前記被取付部が差し込まれることによって、前記案内切欠き部及び前記嵌入凹部が拡開し、前記被取付部を前記嵌入凹部に嵌め込むと、復元力によって前記案内切欠き部及び前記嵌入凹部が元の寸法及び形状に戻るように変形する
ことを特徴とする部品留め具。
【請求項２】
前記構成部品の前記被取付部が、前記筐体の所定の箇所に設けられた挿通孔から前記筐体内に挿通された状態で、前記被取付部の前記挿通孔近傍の部位に前記平板部が嵌着されることによって、前記平板部の第１の面が前記筐体の内壁面に当接し、前記構成部品を前記被取付部の長尺方向に沿って引き抜こうとする力に抗して、前記構成部品の前記長尺方向の変位が制止されることを特徴とする請求項１記載の部品留め具。
【請求項３】
溝幅が前記平板部の厚さに略等しい溝部が形成された前記被取付部の前記溝部に前記平板部が嵌着されることを特徴とする請求項２記載の部品留め具。
【請求項４】
前記平板部の上端部に前記第１の面に背向する第２の面から前記第１の面の反対側に突設されるように形成され、当該部品留め具を前記被取付部に取り付け、又は前記被取付部から取り外す際に把持するために用いるフランジ部を有してなることを特徴とする請求項２又は３記載の部品留め具。
【請求項５】
前記被取付部を前記平板部に嵌入する際に、前記平板部が弾性限界の範囲内で変形するように、前記平板部の厚さ及び幅、並びに前記嵌入凹部及び前記案内切欠き部の寸法及び形状が設定され、かつ、前記平板部の材料が選定されていることを特徴とする請求項１乃至４のいずれか１に記載の部品留め具。
【請求項６】
合成樹脂製部材からなることを特徴とする請求項１乃至５のいずれか１に記載の部品留め具。
【請求項７】
前記嵌入凹部の寸法形状は、前記被取付部が嵌め込まれた状態で前記嵌入凹部が拡開し、元に戻ろうとする復元力によって、前記被取付部を締め付けるように設定されていることを特徴とする請求項５又は６記載の部品留め具。
【請求項８】
前記被取付部が嵌入する際に、所定の大きさ以下の力での圧入が可能となるように、前記嵌入凹部及び前記案内切欠き部の寸法及び形状が設定され、前記平板部の材料が選定されていることを特徴とする請求項５、６又は７記載の部品留め具。
【請求項９】
柄状の被取付部を有するアンテナが、前記被取付部に部品留め具が嵌着されることによって電子機器の筐体に取り付けられている部品留め具を用いた電子機器のアンテナ取付構造であって、
前記アンテナの前記被取付部が前記筐体内に配設され、前記被取付部の所定の部位に、平板部を有する前記部品留め具が嵌着され、前記平板部が前記筐体内に形成された制止部に押し当てられることによって、前記アンテナの前記長尺方向の変位が制止され、
前記平板部には、前記被取付部が嵌め込まれる嵌入凹部と、嵌入時に前記被取付部を前記嵌入凹部へ向けて差し入れるために案内する案内切欠き部とが形成され、
前記被取付部を前記嵌入凹部に嵌入する際に、前記案内切欠き部から前記被取付部が差し込まれることによって、前記案内切欠き部及び前記嵌入凹部が拡開し、前記被取付部を前記嵌入凹部に嵌め込むと、復元力によって前記案内切欠き部及び前記嵌入凹部が元の寸法及び形状に戻るように変形する
ことを特徴とする部品留め具を用いた電子機器のアンテナ取付構造。
【請求項１０】
前記アンテナの前記被取付部が、前記筐体の所定の箇所に設けられた挿通孔から前記筐体内に挿通され、前記被取付部の前記挿通孔近傍の部位に、前記部品留め具が嵌着され、前記平板部の第１の面が、前記筐体の内壁面に当接することによって、前記アンテナを前記被取付部の長尺方向に沿って引き抜こうとする力に抗して、前記アンテナの前記長尺方向の変位が制止されることを特徴とする請求項９記載の部品留め具を用いた電子機器のアンテナ取付構造。
【請求項１１】
前記被取付部の前記平板部が嵌着された部位には、溝幅が前記平板部の厚さに略等しい溝部が形成されていることを特徴とする請求項１０記載の部品留め具を用いた電子機器のアンテナ取付構造。
【請求項１２】
前記部品留め具は、前記平板部の上端部に前記第１の面に背向する第２の面から前記第１の面の反対側に突設されるように形成され、前記部品留め具を前記被取付部に取り付け、又は前記被取付部から取り外す際に把持するために用いるフランジ部を有してなることを特徴とする請求項１０又は１１記載の部品留め具を用いた電子機器のアンテナ取付構造。
【請求項１３】
前記被取付部を前記平板部に嵌入する際に、前記平板部が弾性限界の範囲内で変形するように、前記平板部の厚さ及び幅、並びに前記嵌入凹部及び前記案内切欠き部の寸法及び形状が設定され、かつ、前記平板部の材料が選定されていることを特徴とする請求項９乃至１２のいずれか１に記載の部品留め具を用いた電子機器のアンテナ取付構造。
【請求項１４】
前記部品留め具は、合成樹脂製部材からなることを特徴とする請求項９乃至１３のいずれか１に記載の部品留め具を用いた電子機器のアンテナ取付構造。
【請求項１５】
前記嵌入凹部の寸法形状は、前記被取付部が嵌め込まれた状態で前記嵌入凹部が拡開し、元に戻ろうとする復元力によって、前記被取付部を締め付けるように設定されていることを特徴とする請求項１３又は１４記載の部品留め具を用いた電子機器のアンテナ取付構造。
【請求項１６】
前記被取付部が嵌入する際に、所定の大きさ以下の力での圧入が可能となるように、前記嵌入凹部及び前記案内切欠き部の寸法及び形状が設定され、前記平板部の材料が選定されていることを特徴とする請求項１３、１４又は１５記載の部品留め具を用いた電子機器のアンテナ取付構造。
【請求項１７】
前記筐体内部の所定の部位には、前記平板部の前記第２の面に当接する当接面を有する押え部が突設され、前記第２の面が、前記当接面に当接することによって、前記アンテナを前記長尺方向に沿って前記筐体内部側に押し込もうとする力に抗して、前記アンテナの前記長尺方向の変位が制止されることを特徴とする請求項１２乃至１６のいずれか１に記載の部品留め具を用いた電子機器のアンテナ取付構造。
【請求項１８】
前記被取付部の前記平板部が嵌着される部位は角部を有すると共に、前記嵌入凹部は前記角部に対応する隅部を有し、かつ、前記筐体の内壁面からは、前記部品留め具の前記被取付部の前記長尺方向に沿った回転軸の周りの回転を制止する制止部材が突設され、前記アンテナを前記回転軸の周りに回転させようとする力に抗して、前記アンテナの前記回転軸の周りの角度変位が制止されることを特徴とする請求項９乃至１７のいずれか１に記載の部品留め具を用いた電子機器のアンテナ取付構造。
【請求項１９】
請求項９乃至１８のいずれか１に記載の部品留め具を用いた電子機器のアンテナ取付構造を備えたことを特徴とする電子機器。
【発明の詳細な説明】
【技術分野】
【０００１】
この発明は、部品留め具、該部品留め具を用いた電子機器のアンテナ取付構造及び該構造を備えた電子機器に係り、柄状の被取付部を有するアンテナ等の電子機器の構成部品を筐体に取り付けるために用いられる部品留め具、該部品留め具を用いて、携帯電話機等の電子機器の筐体にアンテナが取り付けられたアンテナ取付構造及び該構造を備えた電子機器に関する。
【背景技術】
【０００２】
従来より、携帯電話機等の無線通信機能を有する電子機器においては、図１５に示すように、アンテナ１０１の軸部１０２が筐体１０３の上端部に形成された挿通孔１０４から筐体１０３内に挿通され、軸部１０２に形成された環状溝１０５に部品留め具としての金属製のＥリング１０６が嵌着され、このＥリング１０６が筐体１０３内壁の挿通孔１０４の縁部に当接して、アンテナ１０１を軸部１０２の軸方向に沿って引く抜こうとする力に抗して、アンテナ１０１の軸方向に沿った変位を制止している（例えば、特許文献１参照。）。なお、図１５中、符号１０７は、Ｏリングを示している。
このＥリング１０６は、アンテナ１０１の軸部１０２を挿通孔１０４から筐体１０３内に挿通した後、図１６（ａ）に示すように、専用の取着治具１０８を用いて把持され、同図（ｂ）に示すように、アンテナ１０１の軸部１０２に形成された環状溝１０５に圧入される。Ｅリング１０６は、軸部１０２の周面を中心（軸）に向けて押圧した状態で軸部１０２に固着される。
【特許文献１】特開平１０−１３２９０号公報
【発明の開示】
【発明が解決しようとする課題】
【０００３】
解決しようとする問題点は、上記従来技術では、部品留め具としての金属製のＥリング１０６が軸部１０２に嵌着されるようにするために、専用の取着治具を必要とするので作業性が悪化するという点である。
【０００４】
この発明は、上述の事情に鑑みてなされたもので、専用の取着治具を必要とせず、作業性を向上させることができる部品留め具、該部品留め具を用いた電子機器のアンテナ取付構造及び該構造を備えた電子機器を提供することを目的としている。
【課題を解決するための手段】
【０００５】
上記課題を解決するために、請求項１記載の発明は、柄状の被取付部を有する構成部品を電子機器の筐体に取り付けるために用いられる平板部を有する部品留め具に係り、上記平板部には、上記被取付部が嵌め込まれる嵌入凹部と、嵌入時に上記被取付部を上記嵌入凹部へ向けて差し入れるために案内する案内切欠き部とが形成され、上記被取付部を上記嵌入凹部に嵌入する際に、上記案内切欠き部から上記被取付部が差し込まれることによって、上記案内切欠き部及び上記嵌入凹部が拡開し、上記被取付部を上記嵌入凹部に嵌め込むと、復元力によって上記案内切欠き部及び上記嵌入凹部が元の寸法及び形状に戻るように変形することを特徴としている。
【０００６】
また、請求項２記載の発明は、請求項１記載の部品留め具に係り、上記構成部品の上記被取付部が、上記筐体の所定の箇所に設けられた挿通孔から上記筐体内に挿通された状態で、上記被取付部の上記挿通孔近傍の部位に上記平板部が嵌着されることによって、上記平板部の第１の面が上記筐体の内壁面に当接し、上記構成部品を上記被取付部の長尺方向に沿って引き抜こうとする力に抗して、上記構成部品の上記長尺方向の変位が制止されることを特徴としている。
【０００７】
また、請求項３記載の発明は、請求項２記載の部品留め具に係り、溝幅が上記平板部の厚さに略等しい溝部が形成された上記被取付部の上記溝部に上記平板部が嵌着されることを特徴としている。
【０００８】
また、請求項４記載の発明は、請求項２又は３記載の部品留め具に係り、上記平板部の上端部に上記第１の面に背向する第２の面から上記第１の面の反対側に突設されるように形成され、当該部品留め具を上記被取付部に取り付け、又は上記被取付部から取り外す際に把持するために用いるフランジ部を有してなることを特徴としている。
【０００９】
また、請求項５記載の発明は、請求項１乃至４のいずれか１に記載の部品留め具に係り、上記被取付部を上記平板部に嵌入する際に、上記平板部が弾性限界の範囲内で変形するように、上記平板部の厚さ及び幅、並びに上記嵌入凹部及び上記案内切欠き部の寸法及び形状が設定され、かつ、上記平板部の材料が選定されていることを特徴としている。
【００１０】
また、請求項６記載の発明は、請求項１乃至５のいずれか１に記載の部品留め具に係り、合成樹脂製部材からなることを特徴としている。
【００１１】
また、請求項７記載の発明は、請求項５又は６記載の部品留め具に係り、上記嵌入凹部の寸法形状は、上記被取付部が嵌め込まれた状態で上記嵌入凹部が拡開し、元に戻ろうとする復元力によって、上記被取付部を締め付けるように設定されていることを特徴としている。
【００１２】
また、請求項８記載の発明は、請求項５、６又は７記載の部品留め具に係り、上記被取付部が嵌入する際に、所定の大きさ以下の力での圧入が可能となるように、上記嵌入凹部及び上記案内切欠き部の寸法及び形状が設定され、上記平板部の材料が選定されていることを特徴としている。
【００１３】
また、請求項９記載の発明は、柄状の被取付部を有するアンテナが、上記被取付部に部品留め具が嵌着されることによって電子機器の筐体に取り付けられている部品留め具を用いた電子機器のアンテナ取付構造に係り、上記アンテナの上記被取付部が上記筐体内に配設され、上記被取付部の所定の部位に、平板部を有する上記部品留め具が嵌着され、上記平板部が上記筐体内に形成された制止部に押し当てられることによって、上記アンテナの上記長尺方向の変位が制止され、上記平板部には、上記被取付部が嵌め込まれる嵌入凹部と、嵌入時に上記被取付部を上記嵌入凹部へ向けて差し入れるために案内する案内切欠き部とが形成され、上記被取付部を上記嵌入凹部に嵌入する際に、上記案内切欠き部から上記被取付部が差し込まれることによって、上記案内切欠き部及び上記嵌入凹部が拡開し、上記被取付部を上記嵌入凹部に嵌め込むと、復元力によって上記案内切欠き部及び上記嵌入凹部が元の寸法及び形状に戻るように変形することを特徴としている。
【００１４】
また、請求項１０記載の発明は、請求項９記載の部品留め具を用いた電子機器のアンテナ取付構造に係り、上記アンテナの上記被取付部が、上記筐体の所定の箇所に設けられた挿通孔から上記筐体内に挿通され、上記被取付部の上記挿通孔近傍の部位に、上記部品留め具が嵌着され、上記平板部の第１の面が、上記筐体の内壁面に当接することによって、上記アンテナを上記被取付部の長尺方向に沿って引き抜こうとする力に抗して、上記アンテナの上記長尺方向の変位が制止されることを特徴としている。
【００１５】
また、請求項１１記載の発明は、請求項１０記載の部品留め具を用いた電子機器のアンテナ取付構造に係り、上記被取付部の上記平板部が嵌着された部位には、溝幅が上記平板部の厚さに略等しい溝部が形成されていることを特徴としている。
【００１６】
また、請求項１２記載の発明は、請求項１０又は１１記載の部品留め具を用いた電子機器のアンテナ取付構造に係り、上記部品留め具は、上記平板部の上端部に上記第１の面に背向する第２の面から上記第１の面の反対側に突設されるように形成され、上記部品留め具を上記被取付部に取り付け、又は上記被取付部から取り外す際に把持するために用いるフランジ部を有してなることを特徴としている。
【００１７】
また、請求項１３記載の発明は、請求項９乃至１２のいずれか１に記載の部品留め具を用いた電子機器のアンテナ取付構造に係り、上記被取付部を上記平板部に嵌入する際に、上記平板部が弾性限界の範囲内で変形するように、上記平板部の厚さ及び幅、並びに上記嵌入凹部及び上記案内切欠き部の寸法及び形状が設定され、かつ、上記平板部の材料が選定されていることを特徴としている。
【００１８】
また、請求項１４記載の発明は、請求項９乃至１３のいずれか１に記載の部品留め具を用いた電子機器のアンテナ取付構造に係り、上記部品留め具は、合成樹脂製部材からなることを特徴としている。
【００１９】
また、請求項１５記載の発明は、請求項１３又は１４記載の部品留め具を用いた電子機器のアンテナ取付構造に係り、上記嵌入凹部の寸法形状は、上記被取付部が嵌め込まれた状態で上記嵌入凹部が拡開し、元に戻ろうとする復元力によって、上記被取付部を締め付けるように設定されていることを特徴としている。
【００２０】
また、請求項１６記載の発明は、請求項１３、１４又は１５記載の部品留め具を用いた電子機器のアンテナ取付構造に係り、上記被取付部が嵌入する際に、所定の大きさ以下の力での圧入が可能となるように、上記嵌入凹部及び上記案内切欠き部の寸法及び形状が設定され、上記平板部の材料が選定されていることを特徴としている。
【００２１】
また、請求項１７記載の発明は、請求項１２乃至１６のいずれか１に記載の部品留め具を用いた電子機器のアンテナ取付構造に係り、上記筐体内部の所定の部位には、上記平板部の上記第２の面に当接する当接面を有する押え部が突設され、上記第２の面が、上記当接面に当接することによって、上記アンテナを上記長尺方向に沿って上記筐体内部側に押し込もうとする力に抗して、上記アンテナの上記長尺方向の変位が制止されることを特徴としている。
【００２２】
また、請求項１８記載の発明は、請求項９乃至１７のいずれか１に記載の部品留め具を用いた電子機器のアンテナ取付構造に係り、上記被取付部の上記平板部が嵌着される部位は角部を有すると共に、上記嵌入凹部は上記角部に対応する隅部を有し、かつ、上記筐体の内壁面からは、上記部品留め具の上記被取付部の上記長尺方向に沿った回転軸の周りの回転を制止する制止部材が突設され、上記アンテナを上記回転軸の周りに回転させようとする力に抗して、上記アンテナの上記回転軸の周りの角度変位が制止されることを特徴としている。
【００２３】
また、請求項１９記載の発明に係る電子機器は、請求項９乃至１８のいずれか１に記載の部品留め具を用いた電子機器のアンテナ取付構造を備えたことを特徴としている。
【発明の効果】
【００２４】
この発明の構成によれば、比較的小さい荷重で変形可能な例えば合成樹脂製部材からなる部品留め具を、アンテナ等の構成部品の被取付部に嵌着して、容易にアンテナ等を筐体に取り付けることができるので、専用の取着治具を必要としないため、作業性を向上させることができる。
また、部品留め具にフランジ部を設けることによって、容易に部品留め具をアンテナ等の被取付部に取り付け、又は被取付部から取り外すことができるので、一段と作業性を向上させることができる。
【発明を実施するための最良の形態】
【００２５】
比較的小さい荷重で変形可能な例えば合成樹脂製部材からなる部品留め具をアンテナ等の被取付部に嵌着することによって、専用の取着治具を必要とせずに容易にアンテナ等を筐体に取り付け、作業性を向上させるという目的を実現した。
【実施例】
【００２６】
図１は、この発明の一実施例である携帯電話機のアンテナ取付構造の構成を説明するための分解斜視図、図２は、同携帯電話機の構成を示す斜視図、図３は、同携帯電話機の構成を示すブロック図、図４は、同アンテナ取付構造の構成を説明するための斜視図、図５は、同アンテナ取付構造の構成を説明するための平面図、図６は、図５のＡ−Ａ線に沿った断面図、図７は、図５のＢ−Ｂ線に沿った断面図、図８は、同携帯電話機のアンテナを筐体に固定するための部品留め具の構成を示す正面図、図９は、同部品留め具の構成を示す背面図、図１０は、同部品留め具の構成を示す平面図、図１１は、同部品留め具の構成を示す下面図、図１２は、同部品留め具の構成を示す左側面図、また、図１３は、同部品留め具の構成を示す右側面図である。
【００２７】
この例の携帯電話機１は、図２に示すように、折畳可能な筐体２を備えると共に、本来の通話機能のほか、例えば電子メールの送受信やインターネットに接続してホームページの閲覧が可能なデータ通信機能、内蔵されたカメラによる撮影機能、及びテレビ電話機能を有し、図３に示すように、当該携帯電話機本体の構成各部を制御する制御部３と、制御部３が実行する処理プログラムや各種データ等を記憶するための記憶部４と、下側筐体１８に固定されたアンテナ５を介して無線電波の送受信を行い、所定のプロトコルに従って通話やデータ通信を行うために用いられる無線通信部６と、例えば周囲の風景や人物等を撮影するための電子カメラユニット７と、折畳時に内側となる側に配設され液晶表示装置からなり例えば文字メッセージや、機能設定画面、撮像画面、待受画面等が表示される表示部８と、数字や文字の入力操作等を行うための多数の各種操作キー等からなる操作部９と、受話音声を出力するスピーカを有してなる受話部１１と、送話音声を入力するマイクロフォンを有してなる送話部１２と、と、着信時に着信音を発生すると共に、撮影時に擬似シャッタ音を発生するリンガ発生部１３と、ＬＥＤを有し例えば着信時や通話時に発光する発光部１４と、振動によって例えば着信を通知するための振動部１５とから概略構成されている。
また、上記筐体２は、ヒンジ部１７で相互に結合された下側筐体１８と上側筐体１９とからなり、ヒンジ部１７は、下側筐体１８と上側筐体１９とを回転自在に結合して当該携帯電話機１に折畳可能な構造を付与している。
【００２８】
制御部３は、共にＣＰＵ（中央処理装置）等からなり、記憶部４に記憶された各種処理プログラムを実行し、記憶部４に確保された各種レジスタやフラグを用いて、構成各部を制御し各種制御処理を実行する。
記憶部４は、ＲＯＭ、ＲＡＭ等の半導体メモリからなり、制御部３が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部４には、制御部３がプログラム実行時に用いる各種レジスタやフラグが確保されている。
【００２９】
この例のアンテナ取付構造２１は、図１、及び図４乃至図７に示すように、携帯電話機１の構成部品としてのアンテナ５の柄状部２２が下側筐体１８の端部に形成された柄状部挿通孔２３から下側筐体１８内に挿通され、柄状部２２に形成された環状溝２４に部品留め具２５が圧入によって嵌着され、かつ、柄状部２２の後端部に形成された平板状の端子部２６が、下側筐体１８の内壁面に形成された隆起部２７にねじ等の固定具２８を用いて固着されることによって、アンテナ５が下側筐体１８に固定されて概略構成されている。
この例のアンテナ５は、下側筐体１８から外部に露出した状態で配置される頭部３１と、頭部３１の底部から垂下するように形成され、下側筐体１８の上端部に設けられた略円筒形状の収納部３２に収納される胴部３３と、胴部３３から下方に導体が露出されてなる柄状部２２とを有している。
【００３０】
柄状部２２の先端側には部品留め具２５が嵌着される環状溝２４が設けられていると共に、後端側には平板状の端子部２６が形成されている。また、端子部２６の所定の部位は、切り欠かれて、ねじ等の固定具２８が挿通される固定具挿通部３４とされている。
胴部３３は、頭部３１との境界で段差が生じるように、その太さが頭部３１の底部３５の太さよりも細く設定されている。また、柄状部２２と胴部３３との境界でも段差が生じるように、柄状部２２が胴部３３から下方に導体が露出されて形成され、胴部３３の底面３６が柄状部挿通孔２３の外面側の縁部３７をＯリング３８を介して押圧するように、アンテナ５が固定される。
【００３１】
下側筐体１８の端部には、アンテナ５の胴部３３を収納する略円筒形状の収納部３２が形成され、収納部３２の底部には、柄状部２２が挿通される柄状部挿通孔２３が形成されている。
また、下側筐体１８の内壁面の端子部２６が配置される箇所には、内壁面から隆起部２７が突設され、この隆起部２７には、基板上の所定の部位に形成された接点に接続される導体片（不図示）を介して、端子部２６が載せられる円形状の載置面３９が形成され、かつ、固定具挿通部３４が配置される箇所には固定具２８が挿通される固定具挿通孔４１が形成されている。
【００３２】
胴部３３の底面３６がＯリング３８を介して柄状部挿通孔２３の外面側の縁部３７を押し付けた状態で、固定具挿通部３４が固定具挿通孔４１上に配置されるように位置決めされてアンテナ５の柄状部２２が配置され、ねじ等の固定具２８が固定具挿通部３４及び固定具挿通孔４１に挿通されて柄状部２２が隆起部２７に固着される。
また、内壁面に沿って隆起部２７の上方及び下方には、アンテナ５の柄状部２２が柄状部挿通孔２３から下側筐体１８内に挿通される際に柄状部２２を案内すると共に、柄状部２２の側方への変位を制止する柱状のリブ４２ａ，４２ｂ，４３ａ，４３ｂ，４４ａ，４４ｂが下側筐体１８の内壁面から突設されている。
【００３３】
部品留め具２５は、この例では、比較的小さい荷重で弾性変形可能な合成樹脂（例えば、ポリアセタール等の樹脂成型品）からなり、図８乃至図１３に示すように、柄状部２２の環状溝２４に嵌着される本体部４５と、本体部４５の上端部に後方側（取り付けた際に下側筐体内部に向く側）に向けて直角に突設されるように形成され、柄状部２２に取り付けたり柄状部２２から取り外す際に把持するために用いるフランジ部４６とを有している。
本体部４５は、左右対称の形状を呈し、環状溝２４の溝幅に略等しい厚さを有すると共に、本体部４５の中央部には、アンテナ５の柄状部２２を通し、その端縁が環状溝２４の形成部位の柄状部２２の周面を囲むように挟み込む嵌入部４７が形成され、嵌入部４７の下側には、嵌入部４７に連設されるように、柄状部２２を差し入れるため案内切欠き部４８が形成されている。
【００３４】
ここで、非拡開時の嵌入部４７の端縁は、断面形状が略円形となるように形成され、容易に嵌入可能なように、略円形状の寸法が環状溝２４の形成部位の柄状部２２の太さよりも若干大きく設定されている。
案内切欠き部４８は、入口部から奥部（中央部側）へ向かうにしたがって、幅（両端縁間の距離）が狭くなるように形成され、柄状部２２に容易に嵌入可能なように構成されている。
【００３５】
また、本体部４５は、嵌入部４７及び案内切欠き部４８の両側の左側領域４９及び右側領域５１の先端部４９ａ，５１ａが、嵌入部４７の上部の部位を中心に、互いに離れる向きに回転するように、嵌入部４７及び案内切欠き部４８を拡開させようとする力が加わることによって弾性的に変形可能なように構成されている。
すなわち、部品留め具２５が柄状部２２に圧入される際に、柄状部２２の周面が案内切欠き部４８の端縁を押圧することによって、嵌入部４７及び案内切欠き部４８が、本体部４５の対称軸に対して左右に拡開され、柄状部２２が嵌入部４７に嵌め込まれると、復元力によって元の寸法形状に戻り、部品留め具２５はアンテナ５の柄状部２２に取り着けられる。
【００３６】
ここで、嵌入部４７及び案内切欠き部４８を拡開させるために必要な力の大きさは、部品留め具２５を柄状部２２に圧入しようとする際に人手（手指）によって容易に変形する程度の大きさに設定される。
このように、圧入時に所定の大きさ以下の力での圧入が可能となるように、嵌入部４７及び案内切欠き部４８の寸法形状が設定されると共に、所定の弾性率を有する材料が部品留め具２５の材料として選定される。
【００３７】
柄状部挿通孔２３から下側筐体１８内に挿通された柄状部２２の環状溝２４に部品留め具２５を嵌着した際に、本体部４５の前面５２が柄状部挿通孔２３の下側筐体内部側の挿通孔縁部５３に当接することによって、アンテナ５を軸方向に沿って引き抜こうとする力に抗して、アンテナ５の軸方向の変位が制止される。
なお、嵌入部４７の上側には、例えば、柄状部２２への圧入の際に撓み易くし、さらに、取外しの際にピン状部材を差し込むための小穴状溝５４が形成されている。
また、フランジ部４６の下面側には、柄状部２２との間に隙間が形成されるようにして、例えば取外しの際に手指が挿入し易くするために、スペーサ部５５，５５が形成されている。
【００３８】
このように、部品留め具２５によって、アンテナ５を軸方向に沿って引き抜こうとする力に抗して、アンテナ５の軸方向の変位が制止されると共に、胴部３３の底面３６がＯリング３８を介して柄状部挿通孔２３の外面側の縁部３７を押し付けることによって、アンテナ５を軸方向に沿って筐体内部に向けて押し込もうとする力に抗して、アンテナ５の軸方向の変位が制止される。
また、固定具２８が固定具挿通孔４１及び固定具挿通部３４に挿通されて柄状部２２の端子部２６が隆起部２７に固定されることによって、アンテナ５の軸の周りの角度変位が制止される。
【００３９】
無線通信部６は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
電子カメラユニット７は、例えば標準レンズからなるカメラレンズと、カメラレンズを介して結像した画像を光電変換して電気信号としての画像信号を出力するＣＣＤ撮像素子等からなる撮像デバイスと、撮像デバイスから送られてきた画像信号をＡ／Ｄ変換し、デジタル化した信号にガンマ変換、色空間変換等の画像処理を施す画像処理部とを有している（図２及び図３参照）。
【００４０】
表示部８は、下側筐体の内側の面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００４１】
操作部９は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部８に表示された表示画面上のカーソルを上下左右方向へ移動させるためのカーソルキーと、例えば数字等を入力するためのテンキー群とを有している。
【００４２】
携帯電話機本体にアンテナ５を取り付けるには、まず、柄状部２２の先端側の胴部３３との境界部にＯリング３８を嵌め込み、端子部２６の固定具挿通部３４の中心軸を鉛直方向に略一致させた状態で、柄状部２２を柄状部挿通孔２３から水平に保った下側筐体１８内に挿通し、胴部３３の底面３６が柄状部挿通孔２３の外面側の縁部３７をＯリング３８を介して押圧するようにアンテナ５を押し込み、端子部２６を隆起部２７の載置面３９上に載置させる。
ここで、端子部２６の固定具挿通部３４は、隆起部２７の固定具挿通孔４１に重ねられ、両中心軸が一致するように位置決めされている。
次に、案内切欠き部４８側を下側にして部品留め具２５のフランジ部４６を把持し、本体部４５を柄状部２２に形成された環状溝２４に上方から圧入する。
【００４３】
柄状部２２の周面によって案内切欠き部４８の端縁が押圧されることによって、嵌入部４７及び案内切欠き部４８が、本体部４５の対称軸に対して左右に拡開され、さらに圧入していくと、柄状部２２が嵌入部４７に嵌め込まれる。
本体部４５は、嵌入部４７及び案内切欠き部４８の両側の左側領域４９及び右側領域５１の先端部４９ａ，５１ａが、嵌入部４７の上部の部位を中心に、互いに離れる向きに回転するように力が加わることによって弾性的に変形する。
ここで、嵌入部４７及び案内切欠き部４８の寸法形状が適切に設定されると共に、所定の弾性率を有する材料が部品留め具２５の材料として選定されることにより、例えば、人手（手指）によって容易に部品留め具２５を柄状部２２に嵌着される。
【００４４】
柄状部２２が嵌入部４７に嵌め込まれることによって、部品留め具２５はアンテナ５の柄状部２２に取り着けられる。ここで、部品留め具２５の本体部４５の前面５２は、柄状部挿通孔２３の内部側の挿通孔縁部５３に当接する。
次に、端子部２６の固定具挿通部３４と隆起部２７の固定具挿通孔４１とに、ねじ等の固定具２８を挿通して端子部２６を隆起部２７すなわち下側筐体１８に固着する。
なお、アンテナ５を取り外すには、固定具２８を取り外した後、部品留め具２５のフランジ部４６の下方に形成されている隙間に指を差し入れてフランジ部４６を把持し、部品留め具２５を持ち上げて、柄状部２２から外し、この後、アンテナ５を下側筐体１８から引き抜く。
【００４５】
こうして組み立てられた携帯電話機１において、部品留め具２５によって、アンテナ５を軸方向に沿って引き抜こうとする力に抗して、アンテナ５の軸方向の変位が制止されると共に、胴部３３の底面３６がＯリング３８を介して柄状部挿通孔２３の外面側の縁部３７を押し付けることによって、アンテナ５を軸方向に沿って筐体内部に向けて押し込もうとする力に抗して、アンテナ５の軸方向の変位が制止される。
また、固定具２８が固定具挿通孔４１及び固定具挿通部３４挿通されて柄状部２２の端子部２６が固定されることによって、アンテナ５の軸の周りの角度変位が制止される。
【００４６】
このように、この例の構成によれば、部品留め具２５によって、アンテナ５を軸方向に沿って引き抜こうとする力に抗して、アンテナ５の軸方向の変位が制止されると共に、胴部３３の底面３６がＯリング３８を介して柄状部挿通孔２３の外面側の縁部３７を押し付けられることによって、アンテナ５を軸方向に沿って筐体内部に向けて押し込もうとする力に抗して、アンテナ５の軸方向の変位が制止される。
また、固定具２８が固定具挿通孔４１及び固定具挿通部３４に挿通されて柄状部２２の端子部２６が固定されることによって、アンテナ５の柄状部２２の軸の周りの角度変位が制止される。したがって、アンテナ５を筐体２に確実に固定することができる。
【００４７】
また、圧入時に所定の大きさ以下の力での圧入が可能となるように、嵌入部４７及び案内切欠き部４８の寸法形状が設定されると共に、部品留め具２５の材料として合成樹脂製の弾性部材が選定されるので、部品留め具２５が柄状部２２に確実に嵌着されると共に、例えば、人手によって容易に部品留め具２５を柄状部２２に嵌着し、かつ取り外すことができる。したがって、従来技術におけるように、専用の取着治具を用意する必要がないので、作業性を向上させることができる。
また、部品留め具２５は、把持するためのフランジ部４６を有しているので、一段と簡単かつ迅速に、部品留め具２５を柄状部２２に嵌着し、かつ、取り外すことができる。
【００４８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、断面形状が略円形の柄状部を有するアンテナを筐体に固定する場合について述べたが、これに限らず、部品留め具が嵌着される部位の断面形状が例えば矩形の柄状部を有するアンテナを、図１４に示すように、矩形の切欠形状の嵌入部６１を有する部品留め具６２を用いて、アンテナを筐体に固定するようにしても良い。これによって、柄状部の軸に沿った方向の変位のみならず、軸の周りの角度変位も同時に制止することができる。ここで、筐体の内壁面には、部品留め具の柄状部の軸の周りの回転を制止する制止用リブを形成しておく。
【００４９】
また、部品留め具２５の筐体内部側に、本体部の前面５２の反対側の第２の面としての後面に当接してアンテナ５を柄状部２２の軸方向に沿って押し込む方向に向かう力に抗してアンテナ５の変位を制止するための押え部としての制止用リブを筐体内壁から突設するようにしても良い。
また、上述した実施例では、柄状部２２に環状溝２４を設け、環状溝２４に部品留め具２５を嵌め込む場合について述べたが、環状溝２４を廃し、嵌着時に柄状部２２に対して所定の大きさ以上の締付力が得られるように、嵌入部４７及び案内切欠き部４８の寸法形状を設定し、部品留め具２５の材料を選定するようにしても良い。
【００５０】
また、柄状部２２に環状溝２４を設けたままで、嵌着時に柄状部２２に対して所定の大きさ以上の締付力が得られるようにしても良い。例えば、非拡開時の嵌入部４７の略円形状の端縁の寸法を、環状溝２４の形成部位の柄状部２２の太さよりも若干小さく設定し、環状溝２４が嵌め込まれた状態で若干拡開し、元に戻ろうとする復元力によって、柄状部２２を所定の大きさ以上の力で締め付けるようにしても良い。
また、部品留め具を、合成樹脂製部材に代えて、例えばゴム製部材から構成しても良い。
【産業上の利用可能性】
【００５１】
携帯端末としては、携帯電話機のほか、簡易型携帯電話（ＰＨＳ）端末や、携帯情報端末（ＰＤＡ）、携帯型のコンピュータに対して適用できる。また、電子機器として、携帯端末のほか、無線通信機能を有するコンピュータ等に対して適用できる。また、電子機器の構成部品として、アンテナのほか、一般に、軸部材等柄状の被取付部を有する構成部品を電子機器の筐体に取り付ける場合に適用できる。
【図面の簡単な説明】
【００５２】
【図１】この発明の一実施例である携帯電話機のアンテナ取付構造の構成を説明するための分解斜視図である。
【図２】同携帯電話機の構成を示す斜視図である。
【図３】同携帯電話機の構成を示すブロック図である。
【図４】同アンテナ取付構造の構成を説明するための斜視図である。
【図５】同アンテナ取付構造の構成を説明するための平面図である。
【図６】図５のＡ−Ａ線に沿った断面図である。
【図７】図５のＢ−Ｂ線に沿った断面図である。
【図８】同携帯電話機のアンテナを筐体に固定するための部品留め具の構成を示す正面図である。
【図９】同部品留め具の構成を示す背面図である。
【図１０】同部品留め具の構成を示す平面図である。
【図１１】同部品留め具の構成を示す下面図である。
【図１２】同部品留め具の構成を示す左側面図である。
【図１３】同部品留め具の構成を示す右側面図である。
【図１４】この発明の一実施例の変形例である携帯電話機のアンテナを筐体に固定するための部品留め具の構成を示す斜視図である。
【図１５】従来技術を説明するための説明図である。
【図１６】従来技術を説明するための説明図である。
【符号の説明】
【００５３】
１      携帯電話機（電子機器）
２      筐体
５      アンテナ（構成部品）
１８      下側筐体
１９      上側筐体
２１      アンテナ取付構造
２２      柄状部（被取付部）
２３      柄状部挿通孔（挿通孔）
２４      環状溝
２５      部品留め具
２６      端子部
４５      本体部（平板部）
４６      フランジ部
４７      嵌入部（嵌入凹部）
４８      案内切欠き部
５２      前面（第１の面）
５３      挿通孔縁部（制止部、内壁面）
５４      小穴状溝
【図１】
2005333487.tif 000003
【図２】
2005333487.tif 000004
【図３】
2005333487.tif 000005
【図４】
2005333487.tif 000006
【図５】
2005333487.tif 000007
【図６】
2005333487.tif 000008
【図７】
2005333487.tif 000009
【図８】
2005333487.tif 000010
【図９】
2005333487.tif 000011
【図１０】
2005333487.tif 000012
【図１１】
2005333487.tif 000013
【図１２】
2005333487.tif 000014
【図１３】
2005333487.tif 000015
【図１４】
2005333487.tif 000016
【図１５】
2005333487.tif 000017
【図１６】
2005333487.tif 000018